(57)【要約】【課題】  複数件の情報を複数回で同一の送信宛先に連続的に送信する場合、この同一の送信宛先の重複入力を行わずに、オペレータの作業時間を減少可能な情報通信装置を提供する。【解決手段】  本発明に係る情報通信装置において、原稿から情報を読み取る読取部と、読み取った情報を送信するために送信宛先設定画面を表示してオペレータに送信宛先を示す宛先データを入力させる表示入力部と、入力された宛先データに基づいて情報を外部へ送信する送信部と、送信部による送信が終了した後、同一の送信宛先への追従送信の有無をオペレータに確認させるために表示入力部に追従送信確認画面を表示させ、追従送信が有る場合宛先データを送信宛先設定画面に残し、追従送信が無い場合宛先データを送信宛先設定画面から消去する確認判断制御部とを備える。【選択図】  図１
2008079092.tif 000002
【特許請求の範囲】
【請求項１】
原稿から情報を読み取る読取部と、
読み取った前記情報を送信するために送信宛先設定画面を表示してオペレータに送信宛先を示す宛先データを入力させる表示入力部と、
入力された前記宛先データに基づいて前記情報を外部へ送信する送信部と、
前記送信部による送信が終了した後、同一の前記送信宛先への追従送信の有無をオペレータに確認させるために前記表示入力部に追従送信確認画面を表示させ、前記追従送信が有る場合、前記宛先データを前記送信宛先設定画面に残し、前記追従送信が無い場合、前記宛先データを前記送信宛先設定画面から消去する確認判断制御部と
を備えることを特徴とする情報通信装置。
【請求項２】
宛先データが登録されている宛先データ登録部と、
前記宛先データ登録部から既に登録されている前記宛先データを読み出して宛先帳として前記表示入力部に表示させる宛先帳制御部とを更に備え、
前記前記宛先データの入力は、前記オペレータが前記宛先帳から前記宛先データを選択することによって実現されることを特徴とする請求項１記載の情報通信装置。
【請求項３】
宛先データを登録するための宛先データ登録部と、
前記表示入力部に各種記号を含む記号画面を表示させる記号制御部とを更に備え、
前記前記宛先データの入力は、前記オペレータが前記記号画面から前記記号を選択することによって実現されることを特徴とする請求項１記載の情報通信装置。
【請求項４】
前記記号の選択によって入力された前記宛先データと、前記宛先データ登録部に既に登録されている前記宛先データとを比較して、両前記宛先データが異なっていると判断すると、前記宛先データ登録部に前記入力された宛先データを登録させる比較判断制御部を更に備えることを特徴とする請求項３記載の情報通信装置。
【請求項５】
前記入力された宛先データを一時的に記憶する一時記憶部と、
前記比較判断制御部によって前記両宛先データが同一であると判断された場合、前記一時記憶部から前記入力された宛先データを削除する削除部とを更に備えることを特徴とする請求項４記載の情報通信装置。
【請求項６】
前記送信部の送信終了状態を監視して該送信終了状態が正常であるか異常であるかを判定する監視判定部と、
前記送信終了状態が正常であると判定されると、前記記号の選択によって入力された前記宛先データと前記宛先データ登録部に既に登録されている前記宛先データとを比較して両前記宛先データが異なっていると判断すると、前記宛先データ登録部に前記入力された宛先データを登録させる比較判断制御部とを更に備えることを特徴とする請求項３記載の情報通信装置。
【請求項７】
前記入力された宛先データを一時的に記憶する一時記憶部と、
前記比較判断制御部によって前記両宛先データが同一であると判断された場合、前記一時記憶部から前記入力された宛先データを削除する削除部とを更に備えることを特徴とする請求項６記載の情報通信装置。
【請求項８】
前記入力された宛先データを一時的に記憶する一時記憶部と、
前記監視判定部によって前記送信終了状態が異常であると判定される場合、前記一時記憶部から前記入力された宛先データを削除する削除部とを更に備えることを特徴とする請求項６記載の情報通信装置。
【請求項９】
前記記号は、文字及び符号を含み、
前記記号画面は、キーボード表示入力画面であることを特徴とする請求項３記載の情報通信装置。
【請求項１０】
前記送信宛先設定画面は、メールアドレス入力画面であり、
前記宛先データは、メールアドレスであることを特徴とする請求項１記載の情報通信装置。
【発明の詳細な説明】
【技術分野】
【０００１】
本発明は、情報通信を行うための情報通信装置に関し、特に、マルチ機能を持ち且つ電子メールで情報を送信する情報通信装置に関するものである。
【背景技術】
【０００２】
情報通信装置の一種として、コピー、ファクス、プリンタ及びスキャナーの各種機能からなるマルチ機能を有するプリンタ複合機（即ち、ＭＦＰ（ＭｕｌｔｉＦｕｎｃｔｉｏｎＰｒｉｎｔｅｒ）が用いられている。
このような複合機には、各機能を実現させるために、コピーユニット、ファクスユニット、プリンターユニット及びスキャナーユニットが設けられている。
【０００３】
例えば、オペレータがスキャナーユニットを利用して電子メールの送信を選択した場合、該スキャナーユニットは、オペレータの選択に応じて送信宛先設定画面を表示してオペレータに送付宛先としてのメールアドレスを入力させた後、オペレータにセットされた原稿をスキャンして該原稿から画像や文章などを読み取り、そして、入力したメールアドレスに基づいて、読み取った画像や文章などを通信回線を介して外部へ送信する。
【０００４】
このような送信について、例えば、特許文献１に開示されている。
【特許文献１】特開２０００−１３４４０２
【発明の開示】
【発明が解決しようとする課題】
【０００５】
しかしながら、従来では、一件の送信を行う度に、送信宛先設定画面を表示してメールアドレスを入力する必要がある。また、送信済みに伴って、このアドレスが消去される。
それで、例えば、複数件の文章を同一の宛先に連続的に送信する場合、一件毎の送信際アドレスの入力を行わなければならない。即ち、複数件の情報を複数回で同一の送信宛先に連続的に送信する場合、この同一の送信宛先を毎回に入力する必要がある。
そのため、オペレータにとって、繰り返し入力作業が面倒であり、入力時間もかかってしまう。
【課題を解決するための手段】
【０００６】
本発明は、以上の点を解決するために、次の構成を採用する。
〈構成〉
本発明に係る情報通信装置は、原稿から情報を読み取る読取部と、読み取った情報を送信するために送信宛先設定画面を表示してオペレータに送信宛先を示す宛先データを入力させる表示入力部と、入力された宛先データに基づいて情報を外部へ送信する送信部と、送信部による送信が終了した後、同一の送信宛先への追従送信の有無をオペレータに確認させるために表示入力部に追従送信確認画面を表示させ、追従送信が有る場合、宛先データを送信宛先設定画面に残し、追従送信が無い場合、宛先データを送信宛先設定画面から消去する確認判断制御部とを備えることを特徴とする。
【０００７】
本発明に係る情報通信装置は、宛先データが登録されている宛先データ登録部と、宛先データ登録部から既に登録されている宛先データを読み出して宛先帳として表示入力部に表示させる宛先帳制御部とを更に備えることができる。そして、宛先データの入力を、オペレータが宛先帳から宛先データを選択することによって実現することができる。を特徴とする請求項１記載の情報通信装置。
【０００８】
また、本発明に係る情報通信装置は、宛先データを登録するための宛先データ登録部と表示入力部に各種記号を含む記号画面を表示させる記号制御部とを更に備えることができる。そして、宛先データの入力を、オペレータが記号画面から記号を選択することによって実現することができる。
【０００９】
また、本発明に係る情報通信装置は、記号の選択によって入力された宛先データと、宛先データ登録部に既に登録されている宛先データとを比較して、両宛先データが異なっていると判断すると宛先データ登録部に入力された宛先データを登録させる比較判断制御部を更に備えることができる。
そして、入力された宛先データが一時記憶部に一時的に記憶され且つ比較判断制御部によって両宛先データが同一であると判断された場合、情報通信装置は、一時記憶部から入力された宛先データを削除する削除部とを更に備えることができる。
【００１０】
また、本発明に係る情報通信装置は、送信部の送信終了状態を監視して該送信終了状態が正常であるか異常であるかを判定する監視判定部を更に備えることができる。
一方、監視判定部によって送信終了状態が正常であると判定される場合、情報通信装置は、記号の選択によって入力された宛先データと宛先データ登録部に既に登録されている宛先データとを比較して、両宛先データが異なっていると判断すると、宛先データ登録部に入力された宛先データを登録させる比較判断制御部とを更に備えることができる。そして、入力された宛先データが一時記憶部に一時的に記憶され且つ比較判断制御部によって両宛先データが同一であると判断されると、情報通信装置は、一時記憶部から入力された宛先データを削除する削除部とを更に備えることができる。
他方、入力された宛先データが一時記憶部に一時的に記憶され且つ監視判定部によって送信終了状態が異常であると判定される場合、情報通信装置は一時記憶部から入力された宛先データを削除する削除部とを更に備えることができる。
【００１１】
また、本発明に係る情報通信装置において、記号は文字及び符号からなり、記号画面としてキーボード表示入力画面を採用することができる。
【００１２】
また、送信宛先設定画面としてメールアドレス入力画面を採用することができ、宛先データとして、メールアドレスを採用することができる。
【発明の効果】
【００１３】
本発明に係る情報通信装置によれば、送信部による送信の終了後、同一の送信宛先への複数回の追従送信の有無を確認し、追従送信が有る場合宛先データを画面に残して再利用するので、一回のみの入力で複数に利用することができ、結果として、オペレータの入力作業を軽減すると共に、入力時間を短縮することができる。
また、追従送信が無い場合宛先データを画面から消去するので、宛先データの漏れを防止することができる。
【発明を実施するための最良の形態】
【００１４】
以下、図を用いる実施形態で、本発明に係る画像形成システムを、画像形成装置と共に詳細に説明する。
【実施例１】
【００１５】
〈実施例１の構成〉
図１は、本発明に係る情報通信装置の実施例１における構成を示すブロック図である。
本発明に係る情報通信装置１０は、図１に示されているように、読取部１１、表示入力部１２、送信部１３、宛先データ登録部１４、記号記憶部１５、一時記憶部１６、削除部１７及びこれら各部を制御するための制御部１８を備えている。
【００１６】
本実施例において、この情報通信装置１０が複合機（ＭＦＰ）からなり、これら各部１１〜１８がスキャナーユニットを構成する。
また、この情報通信装置１０は、図示しない通信回線を介して、図示しない外部装置に接続され、該外部装置との間で情報通信を行う。
【００１７】
読取部１１は、原稿をスキャンして該原稿から画像や文章などの情報を読み取る機能を有している。
表示入力部１２は、例えば送信宛先設定画面のようなそれぞれの画面を表示してオペレータに例えば宛先データのようなデータを入力させる機能を有している。
送信部１３は、宛先データに基づいて読み取られた情報を外部装置へ送信する機能を有している。
【００１８】
宛先データ登録部１４は、情報の送信宛先を示す宛先データを予め登録する機能を有している。
記号記憶部１５は、情報の送信際宛先データをオペレータに入力させるために用いられる文字や符号などからなる記号を記憶する機能を有している。
【００１９】
一時記憶部１６は、記号を用いて入力された宛先データなどを一時的に記憶する機能を有している。
削除部１７は、一時記憶部１６から宛先データを削除する機能を有している。
【００２０】
制御部１８は、確認判断制御部１９、宛先帳制御部２０及び記号制御部２１を含み、上記した各部１１〜１７の各機能を実現させるための制御プログラムを有している。
確認判断制御部１９は、送信部１３による送信の終了後、同一の送信宛先への追従送信の有無をオペレータに確認させるために表示入力部１２に例えば追従送信確認画面を表示させ、追従送信が有る場合入力された宛先データを送信宛先設定画面に残し、追従送信が無い場合宛先データを送信宛先設定画面から消去する機能を有している。
【００２１】
宛先帳制御部２０は、宛先データ登録部１４から既に登録されている宛先データを読み出して宛先帳として表示入力部１２に表示させる機能を有している。
そして、オペレータに宛先帳から宛先データを選択させることによって、宛先データの入力を実現することができる。
【００２２】
記号制御部２１は、記号記憶部１５から各種記号を取り出して該各種記号を含む記号画面を表示入力部１２に表示させる機能を有している。
この記号画面として、本実施例では、ソフトキーボードが採用されている。
そして、オペレータにソフトキーボードから記号を選択させることによって、宛先データの入力を実現することもできる。
【００２３】
〈実施例１の動作〉
次に、本発明に係る情報通信装置１０の動作を、フローチャートに沿って説明する。
本実施例では、送信宛先設定画面としてメールアドレス入力画面が採用され、宛先データとしてメールアドレスが採用され、宛先帳としてアドレス帳が採用される。
【００２４】
図２は、本発明に係る情報通信装置の実施例１における動作を示すフローチャートである。
オペレータが電子メールの送信を行わせるために情報通信装置１０に設けられている電子メール選択ボタン「Ｓｃａｎ  Ｔｏ  Ｅｍａｉｌ」を選択する（ステップ１）と、まず、制御部１８は、制御プログラムを起動して、オペレータの選択に応じて、表示入力部１２にメールアドレス入力画面を表示させる（ステップ２）。
【００２５】
図３は、メールアドレス入力画面を示す説明図である。
メールアドレス入力画面２２は、図３に示されているように、電子メールのアドレスを入力するためのアドレス入力領域２３を有している。
また、メールアドレス入力画面２２には、アドレス入力領域２３にアドレスの入力を実現するためのアドレス供給源領域２４が設けられている。
更に、メールアドレス入力画面２２には、情報の送信をキャンセルするための取消ボタン３１及び情報の送信を行うための送信ボタン３２が設けられている。
【００２６】
アドレス供給源領域２４には、宛先データ登録部１４に予め登録されている各メールアドレスからなるアドレス帳を表示させるための帳選択キー２５と、記号記憶部１５に記憶されている各種記号からなるソフトキーボードを表示させるための記号選択キー２６とが設けられている。
【００２７】
また、メールアドレス入力画面２２には、解像度を設定するための解像度設定領域（Ｒｅｓｏｌｕｔｉｏｎ）４１と、カラーかモノクロかを設定するための色設定領域（Ｃｏｌｏｒ  Ｍｏｄｅ）領域４２と、ファイルのフォーマットを設定するためのファイルフォーマット設定領域４３と、読取面（片側／両側）を設定するためのサイド設定領域（Ｓｉｄｅｓ）４４とが設けられている。
【００２８】
即ち、表示入力部１２は、オペレータにアドレス帳又はソフトキーボードを利用してメールアドレスをアドレス入力領域２３に入力させ、且つ、オペレータに送信ファイルに対する解像度などの各種設定を行わせるために、上記したメールアドレス入力画面２２を表示する（ステップ２）。
【００２９】
一方、帳選択キー２５がオペレータに選択される（ステップ３）と、宛先帳制御部２０は、宛先データ登録部１４から既に登録されている各メールアドレスを読み出し、アドレス帳として表示入力部１２に表示させる（ステップ４）。
【００３０】
図４は、宛先データ登録部の構成を示す説明図である。
宛先データ登録部１４には、図４に示されているように、それぞれのメールアドレスが予め登録されている。
【００３１】
図５は、帳表示入力画面を示す説明図である。
帳表示入力画面２７は、図５に示されているように、上記のアドレス入力領域２３と、アドレス帳領域２８とを有している。このアドレス帳領域２８には、宛先データ登録部１４から読み出した各メールアドレスからなるアドレス帳が表示されている。
また、帳表示入力画面２７には、メールアドレスの入力に対して訂正などを行うためのキャンセルボタン２９及び確定を行うための確定ボタン３０が設けられている。
【００３２】
ステップ３において帳表示入力画面２７が表示されると（ステップ４）、表示入力部１２はオペレータにメールアドレスをアドレス入力領域２３に入力させる（ステップ５）。そして、オペレータは、アドレス帳領域２８に表示されているアドレス帳から一つのメールアドレスを選択して入力を行う（ステップ５）。そのとき、キャンセルボタン２９を利用して入力の訂正を行うことができる。
本実施例では、メールアドレス「ｂｃｄａ＠ｂｃｄａ．ｎｅ．ｊｐ」が選択されることとする。
【００３３】
メールアドレスの入力が行われて確定ボタン３０が選択される（ステップ５）と、制御部１８は、このメールアドレス「ｂｃｄａ＠ｂｃｄａ．ｎｅ．ｊｐ」を一時記憶部１６に記憶させ（ステップ６）、また、表示入力部１２にメールアドレス入力画面２２を再度表示させる（ステップ７）。
そして、表示入力部１２は、メールアドレス「ｂｃｄａ＠ｂｃｄａ．ｎｅ．ｊｐ」がアドレス入力領域２３入力されている状態でメールアドレス入力画面２２を表示する（ステップ７）。
【００３４】
他方、メールアドレス入力画面２２が表示された（ステップ２）後記号選択キー２６がオペレータに選択される（ステップ３）と、記号制御部２１は、記号記憶部１５から記録されている各記号を読み出しソフトキーボードとして表示入力部１２に表示させる（ステップ８）。
【００３５】
図６は、キーボード表示入力画面を示す説明図である。
キーボード表示入力画面３３は、図６に示されているように、上記のアドレス入力領域２３と、ソフトキーボード領域３４とを有している。このソフトキーボード領域３４には、記号記憶部１５から読み出した各種符号や文字、数字などからなるソフトキーボードが表示されている。
また、キーボード表示入力画面３３には、メールアドレスの入力に対して訂正などを行うためのキャンセルボタン３５及び確定を行うための確定ボタン３６が設けられている。
【００３６】
ステップ６においてキーボード表示入力画面３３が表示されると（ステップ８）、表示入力部１２はオペレータにメールアドレスをアドレス入力領域２３に入力させる（ステップ９）。そして、オペレータは、ソフトキーボード領域３４に表示されているソフトキーボード帳から必要な各記号を選択して入力を行う（ステップ９）。そのとき、キャンセルボタン３５を利用して入力の訂正を行うことができる。
本実施例では、「ｂ」、「ｃ」、「ｄ」、「ａ」及び「＠」などの記号が選択されてメールアドレス「ｂｃｄａ＠ｂｃｄａ．ｎｅ．ｊｐ」が入力されることとする。
【００３７】
メールアドレスの入力が行われて確定ボタン３６が選択される（ステップ９）と、制御部１８は、上記したステップ６及び７を行う。即ち。制御部１８は、このメールアドレス「ｂｃｄａ＠ｂｃｄａ．ｎｅ．ｊｐ」を一時記憶部１６に記憶させ（ステップ６）、メールアドレス入力画面２２に戻って、表示入力部１２にこの画面を再度表示させる（ステップ７）。
そして、表示入力部１２は、メールアドレス「ｂｃｄａ＠ｂｃｄａ．ｎｅ．ｊｐ」がアドレス入力領域２３入力されている状態でメールアドレス入力画面２２を表示する（ステップ７）。
【００３８】
図７は、メールアドレスが入力されている状態のメールアドレス入力画面を示す説明図である。
メールアドレス入力画面２２には、図７に示されているように、メールアドレス「ｂｃｄａ＠ｂｃｄａ．ｎｅ．ｊｐ」が入力されて表示されている。
【００３９】
また、表示入力部１２は、メールアドレス入力画面２２に設けられている解像度設定領域（Ｒｅｓｏｌｕｔｉｏｎ）４１、色設定領域（Ｃｏｌｏｒ  Ｍｏｄｅ）領域４２、ファイルフォーマット設定領域４３及びサイド設定領域（Ｓｉｄｅｓ）４４を表示することで、オペレータに各種設定を行わせる（ステップ１０）。
【００４０】
このように、メールアドレスが入力されている状態で送信ボタン３２がオペレータに選択されると、制御部１８は、読取部１１を動作させる（ステップ１１）。起動された読取部１１は、各種設定に基づいて、画像や文字などが記載されている原稿をスキャンして、該原稿から画像や文字などからなる情報を読み取る（ステップ１１）。読み取った情報は、一時記憶部１６に一時的に記憶される（ステップ１１）。
【００４１】
尚、メールアドレスが入力されている状態でこのメールアドレス入力画面２２が表示されている際、送信ボタン３２が選択されない場合、所定の時間、例えば、２分間が経つと、表示入力部１２は、この画面を消えると共に、Ｐｏｗｅｒ  Ｓａｖｅ  Ｍｏｄｅに移行する。
また、Ｃａｎｃｅｌボタン３１が選択されると、表示入力部１２も、この画面を消えると共に、Ｐｏｗｅｒ  Ｓａｖｅ  Ｍｏｄｅに移行する。
【００４２】
この情報が読み取られると、送信部１３は、一時記憶部１６に記憶されているメールアドレス「ｂｃｄａ＠ｂｃｄａ．ｎｅ．ｊｐ」に基づいて、一時記憶部１６に記憶されている情報を外部装置へ送信する（ステップ１２）。
【００４３】
情報の送信が終了すると、確認判断制御部１９は、先に終了した送信に追従して同一のメールアドレス「ｂｃｄａ＠ｂｃｄａ．ｎｅ．ｊｐ」への次の送信（即ち、追従送信）の有無を判定するために、追従送信確認画面を表示入力部１２に表示させる（ステップ１３）。
【００４４】
図８は、追従送信確認画面の構成を示す説明図である。
追従送信確認画面３７は、図８に示されているように、オペレータに、追従送信の有無を確認させるための確認内容領域３８と、追従送信があることを選択させるための有確定ボタン３９と、追従送信が無いことを選択させるための無確定ボタン４０とを有している。
【００４５】
確認内容領域３８には、確認内容として、「引き続き、同一のメールアドレス「ｂｃｄａ＠ｂｃｄａ．ｎｅ．ｊｐ」へ送信しますか？」が表示されている。
尚、このメールアドレス「ｂｃｄａ＠ｂｃｄａ．ｎｅ．ｊｐ」は、オペレータの入力に従って変更される。
【００４６】
追従送信確認画面３７が表示されて（ステップ１１）、有確定ボタン３９が選択される（ステップ１４）と、確認判断制御部１９は、メールアドレス「ｂｃｄａ＠ｂｃｄａ．ｎｅ．ｊｐ」を一時記憶部１６から読み出してアドレス入力領域２３に残し、表示入力部１２にメールアドレス入力画面２２を表示させる（ステップ１５）。
即ち、図７に示されたメールアドレス入力画面２２が表示される（ステップ１５）。
尚、このとき、上記した各種設定をオペレータに行わせることができる。
【００４７】
そして、制御部１８は、読取部１１に次の原稿をスキャンして新たな情報を読み取らせ（ステップ１６）、一時記憶部１６に記憶させる（ステップ１６）。ここで、該次の原稿をスキャンするとき、Ｒｅｓｏｌｕｔｉｏｎ、Ｃｏｌｏｒ  Ｍｏｄｅ、Ｆｉｌｅ  Ｆｏｒｍａｔ、Ｓｌｉｄｅなどの設定値について、直前のジョブを送信するときの設定値を使う。ただし、ユーザが必要に応じて、Ｒｅｓｏｌｕｔｉｏｎ、Ｃｏｌｏｒ  Ｍｏｄｅ、Ｆｉｌｅ  Ｆｏｒｍａｔ、Ｓｌｉｄｅなどの設定キーを使って新たに設定できる。
【００４８】
続いて、送信部１３は、この同一のメールアドレスに基づいて追従送信を行う（ステップ１７）。
【００４９】
また、上記した追従送信確認画面３７が表示されて（ステップ１３）、無確定ボタン４０が選択される（ステップ１４）と、制御部１８は、削除部１７に、先の送信に用いられたメールアドレスを削除させる（ステップ１８）。
そして、削除部１７は、メールアドレス「ｂｃｄａ＠ｂｃｄａ．ｎｅ．ｊｐ」を一時記憶部１６から削除する（ステップ１８）。
【００５０】
尚、上記した追従送信確認画面３７が表示されて（ステップ１３）、有確定ボタン３９及び無確定ボタン４０が両方とも選択されない場合、所定の時間、例えば、２分間が経つと、表示入力部１２は、この画面を消えると共に、Ｐｏｗｅｒ  Ｓａｖｅ  Ｍｏｄｅに移行する。
【００５１】
〈実施例１の効果〉
本発明に係る実施例１によれば、送信部による送信の終了後、同一のメールアドレスへの追従送信が有る場合、メールアドレスを画面に残して再利用するので、一回のみの入力で複数に利用することができる。結果として、オペレータの入力作業を軽減することができ、また、オペレータの作業時間を減少することができる。
そして、追従送信が無い場合宛先データを画面から消去するので、宛先データの漏れを防止することができる。
【実施例２】
【００５２】
次に、実施例２について説明する。
尚、実施例１におけると同様な構成について、同一の符号を与え、そして、同様な説明を省略する。
〈実施例２の構成〉
図９は、本発明に係る情報通信装置の実施例１における構成を示すブロック図である。
本発明に係る情報通信装置５０は、図９に示されているように、読取部１１、表示入力部１２、送信部１３、宛先データ登録部５１、記号記憶部１５、一時記憶部１６、削除部１７及びこれら各部を制御するための制御部５２を備えている。
【００５３】
宛先データ登録部５１は、宛先データを予め登録し、表示入力部１２によって新たに入力した宛先データを登録する機能を有している。
制御部５２は、確認判断制御部１９、宛先帳制御部２０及び記号制御部２１の他、更に、比較判断制御部５３を含む。
【００５４】
比較判断制御部５３は、新たに入力した宛先データを、宛先データ登録部５１に登録されている各宛先データと比較し、同一である宛先データが宛先データ登録部５１に存在すると削除部１７を動作させ、同一である宛先データが宛先データ登録部５１に存在しないと、新たに入力した宛先データを宛先データ登録部５１に登録させる機能を有している。
【００５５】
〈実施例２の動作〉
次に、本発明に係る情報通信装置５０の動作を、フローチャートに沿って説明する。
本実施例では、実施例１と同様に、送信宛先設定画面としてメールアドレス入力画面が採用され、宛先データとしてメールアドレスが採用され、宛先帳としてアドレス帳が採用される。
【００５６】
図１０は、本発明に係る情報通信装置の実施例２における動作を示すフローチャートである。
まず、オペレータが電子メールボタンを選択する（ステップ１）と、表示入力部１２は、図３のメールアドレス入力画面２２を表示し（ステップ２）、記号選択キー２６がオペレータに選択されると、更に、キーボード表示入力画面３３を表示する（ステップ３）。
【００５７】
表示されたキーボード表示入力画面３３におけるソフトキーボードから必要な記号が選択されてメールアドレスが入力される（ステップ４）と、表示入力部１２は、図７のメールアドレス入力画面２２を表示する（ステップ５）。
本実施例では、メールアドレス「ｂｃｄａ＠ｂｃｄａ．ｎｅ．ｊｐ」が入力されることとする。
尚、このとき、上記した各種設定をオペレータに行わせることができる。
【００５８】
続いて、制御部５２は、このメールアドレス「ｂｃｄａ＠ｂｃｄａ．ｎｅ．ｊｐ」を一時記憶部１６に記憶させる（ステップ６）。
また、制御部５２は、読取部１１に原稿から情報を読み取らせて、一時記憶部１６に記憶させた後（ステップ７）、送信部１３に、メールアドレス「ｂｃｄａ＠ｂｃｄａ．ｎｅ．ｊｐ」に基づいて情報を外部装置へ送信させる（ステップ７）。
【００５９】
情報の送信が終了すると、確認判断制御部１９は、追従送信確認画面３７を表示入力部１２に表示させる（ステップ８）。
【００６０】
表示された追従送信確認画面３７における有確定ボタン３９が選択される（ステップ９）と、確認判断制御部１９は、メールアドレス「ｂｃｄａ＠ｂｃｄａ．ｎｅ．ｊｐ」を一時記憶部１６から読み出してアドレス入力領域２３に残し、表示入力部１２に図７のメールアドレス入力画面２２を表示させる（ステップ１０）。
尚、このとき、上記した各種設定をオペレータに行わせることができる。
【００６１】
そして、制御部５２は、読取部１１に次の原稿をスキャンして新たな情報を読み取らせ（ステップ１１）、一時記憶部１６に記憶させる（ステップ１１）。
【００６２】
続いて、送信部１３は、この同一のメールアドレスに基づいて追従送信を行う（ステップ１２）。
【００６３】
また、表示された追従送信確認画面３７（ステップ８）における無確定ボタン４０が選択される（ステップ９）と、比較判断制御部５３は、メールアドレス「ｂｃｄａ＠ｂｃｄａ．ｎｅ．ｊｐ」を、宛先データ登録部５１に既に登録されている各メールアドレスと比較する（ステップ１３）。
【００６４】
このメールアドレス「ｂｃｄａ＠ｂｃｄａ．ｎｅ．ｊｐ」に一致するメールアドレスが宛先データ登録部５１に存在していると判断する（ステップ１４）と、比較判断制御部５３は、削除部１７に、先の送信に用いられたメールアドレスを削除させる（ステップ１５）。
即ち、メールアドレス「ｂｃｄａ＠ｂｃｄａ．ｎｅ．ｊｐ」が宛先データ登録部５１に既に登録されている場合、削除部１７は、メールアドレス「ｂｃｄａ＠ｂｃｄａ．ｎｅ．ｊｐ」を一時記憶部１６から削除する（ステップ１５）。
【００６５】
また、このメールアドレス「ｂｃｄａ＠ｂｃｄａ．ｎｅ．ｊｐ」に一致するメールアドレスが宛先データ登録部５１に存在していないと判断する（ステップ１４）と、比較判断制御部５３は、宛先データ登録部５１に、先の送信に用いられたメールアドレスを登録させる１６）。
即ち、メールアドレス「ｂｃｄａ＠ｂｃｄａ．ｎｅ．ｊｐ」が宛先データ登録部５１に既に登録されていない場合、宛先データ登録部５１は、メールアドレス「ｂｃｄａ＠ｂｃｄａ．ｎｅ．ｊｐ」を登録する（ステップ１６）。
【００６６】
その後、比較判断制御部５３は、削除部１７に宛先データ登録部５１に登録したメールアドレス「ｂｃｄａ＠ｂｃｄａ．ｎｅ．ｊｐ」を一時記憶部１６から削除させる（ステップ１７）。
【００６７】
〈実施例２の効果〉
本発明に係る実施例２によれば、ソフトキーボードを利用してメールアドレスを入力した場合、送信の終了後、該入力されたメールアドレスを宛先データ登録部に既に登録されている各メールアドレスと比較して、異なる時に該入力されたメールアドレスを宛先データ登録部に登録するので、今後このメールアドレスを利用する時に、帳表示入力画面を利用してアドレス帳から選択するだけで入力するすることができる。
【実施例３】
【００６８】
次に、実施例３について説明する。
尚、実施例１及び２におけると同様な構成について、同一の符号を与え、そして、同様な説明を省略する。
〈実施例３の構成〉
図１１は、本発明に係る情報通信装置の実施例１における構成を示すブロック図である。
本発明に係る情報通信装置６０は、図１１に示されているように、読取部１１、表示入力部１２、送信部１３、宛先データ登録部５１、記号記憶部１５、一時記憶部１６、削除部１７、監視判定部６１及びこれら各部を制御するための制御部６２を備えている。
【００６９】
監視判定部６１は、送信部１３の送信終了状態を監視して該送信終了状態が正常であるか異常であるかを判定する機能を有している。
制御部６２は、確認判断制御部１９、宛先帳制御部２０及び記号制御部２１の他、更に、比較判断制御部６３を含んでいる。
【００７０】
比較判断制御部６３は、監視判定部６１によって送信終了状態が正常であると判定されると、新たに入力した宛先データを、宛先データ登録部５１に登録されている各宛先データと比較し、同一である宛先データが宛先データ登録部５１に存在すると削除部１７を動作させ、同一である宛先データが宛先データ登録部５１に存在しないと、新たに入力した宛先データを宛先データ登録部５１に登録させる機能を有している。
【００７１】
また、制御部６２は、監視判定部６１を制御して、監視判定部６１によって送信終了状態が異常であると判定されると、削除部１７に新たに入力した宛先データを一時記憶部１６から削除させる制御プログラムを更に有している。
【００７２】
〈実施例３の動作〉
次に、本発明に係る情報通信装置６０の動作を、フローチャートに沿って説明する。
本実施例では、実施例１及び２と同様に、送信宛先設定画面としてメールアドレス入力画面が採用され、宛先データとしてメールアドレスが採用され、宛先帳としてアドレス帳が採用される。
【００７３】
図１２は、本発明に係る情報通信装置の実施例３における動作を示すフローチャートである。
まず、オペレータによって電子メール選択ボタンが選択される（ステップ１）と、表示入力部１２は、図３のメールアドレス入力画面２２を表示し（ステップ２）、記号選択キー２６がオペレータに選択されると、更に、キーボード表示入力画面３３を表示する（ステップ３）。
【００７４】
表示されたキーボード表示入力画面３３におけるソフトキーボードから必要な記号が選択されてメールアドレスが入力される（ステップ４）と、表示入力部１２は、図７のメールアドレス入力画面２２を表示する（ステップ５）。
本実施例では、メールアドレス「ｂｃｄａ＠ｂｃｄａ．ｎｅ．ｊｐ」が入力されることとする。
【００７５】
続いて、制御部６２は、このメールアドレス「ｂｃｄａ＠ｂｃｄａ．ｎｅ．ｊｐ」を一時記憶部１６に記憶させる（ステップ６）。また、制御部６２は、読取部１１に原稿から情報を読み取らせて、一時記憶部１６に記憶させた（ステップ７）後、送信部１３に、メールアドレス「ｂｃｄａ＠ｂｃｄａ．ｎｅ．ｊｐ」に基づいて情報を外部装置へ送信すさせ（ステップ７）。
【００７６】
情報の送信が終了すると、確認判断制御部１９は、追従送信確認画面３７を表示入力部１２に表示させる（ステップ８）。
【００７７】
表示された追従送信確認画面３７における有確定ボタン３９が選択される（ステップ９）と、確認判断制御部１９は、メールアドレス「ｂｃｄａ＠ｂｃｄａ．ｎｅ．ｊｐ」を一時記憶部１６から読み出してアドレス入力領域２３に残し、表示入力部１２に図７のメールアドレス入力画面２２を表示させる（ステップ１０）。
【００７８】
そして、制御部６２は、読取部１１に次の原稿をスキャンして新たな情報を読み取らせ（ステップ１１）、一時記憶部１６に記憶させる（ステップ１１）。
【００７９】
続いて、送信部１３は、この同一のメールアドレスに基づいて追従送信を行う（ステップ１２）。
【００８０】
また、表示された追従送信確認画面３７（ステップ８）における無確定ボタン４０が選択される（ステップ９）と、監視判定部６１は、送信部１３の送信終了状態を監視して（ステップ１３）該送信終了状態が正常であるか異常であるかを判定する（ステップ１４）。
【００８１】
この送信終了状態が正常であると、比較判断制御部６３は、メールアドレス「ｂｃｄａ＠ｂｃｄａ．ｎｅ．ｊｐ」を、宛先データ登録部５１に既に登録されている各メールアドレスと比較する（ステップ１５）。
【００８２】
このメールアドレス「ｂｃｄａ＠ｂｃｄａ．ｎｅ．ｊｐ」に一致するメールアドレスが宛先データ登録部５１に存在していると判断する（ステップ１６）と、比較判断制御部６３は、削除部１７に、先の送信に用いられたメールアドレスを削除させる（ステップ１７）。
即ち、メールアドレス「ｂｃｄａ＠ｂｃｄａ．ｎｅ．ｊｐ」が宛先データ登録部５１に既に登録されている場合、削除部１７は、メールアドレス「ｂｃｄａ＠ｂｃｄａ．ｎｅ．ｊｐ」を一時記憶部１６から削除する（ステップ１７）。
【００８３】
また、このメールアドレス「ｂｃｄａ＠ｂｃｄａ．ｎｅ．ｊｐ」に一致するメールアドレスが宛先データ登録部５１に存在していないと判断する（ステップ１６）と、比較判断制御部６３は、宛先データ登録部５１に、先の送信に用いられたメールアドレスを登録させる１８）。
即ち、メールアドレス「ｂｃｄａ＠ｂｃｄａ．ｎｅ．ｊｐ」が宛先データ登録部５１に既に登録されていない場合、宛先データ登録部５１は、メールアドレス「ｂｃｄａ＠ｂｃｄａ．ｎｅ．ｊｐ」を登録する  （ステップ１８）。
【００８４】
その後、比較判断制御部６３は、削除部１７に宛先データ登録部５１に登録したメールアドレス「ｂｃｄａ＠ｂｃｄａ．ｎｅ．ｊｐ」を一時記憶部１６から削除させる（ステップ１９）。
【００８５】
また、ステップ１４において送信終了状態が異常であると判定される（ステップ１４）と、比較判断制御部６３は、削除部１７に削除部１７に宛先データ登録部５１に登録したメールアドレス「ｂｃｄａ＠ｂｃｄａ．ｎｅ．ｊｐ」を一時記憶部１６から削除させる（ステップ２０）。
【００８６】
〈実施例３の効果〉
本発明に係る実施例３によれば、ソフトキーボードを利用してメールアドレスを入力した場合、送信の終了後、送信の終了状態を監視して正常であるか異常であるかを判定し、正常である時に入力されたメールアドレスに対して比較判断処理を行うので、宛先データ登録部に常に正確なメールアドレスを登録することができる。
【００８７】
尚、上記した各実施例では、メールアドレス入力画面２２におけるアドレス入力領域２３にメールアドレスが入力される場合本発明の構成を述べたが、メールアドレス入力画面２２における他のメールアドレス入力領域、即ち「Ｃｃ」や「Ｂｃｃ」の領域にも、本発明を応用することができる。
また、情報として、文章データ、写真などの画像データ、音楽データなどが用いられる。
【００８８】
また、本発明は、電子メールで送信を行う場合だけではなく、同様に、ＦＡＸ送信番号に基づくＦＡＸ送信にも応用できる。
【００８９】
また、本発明は、「Ｓｃａｎ  Ｔｏ  Ｅｍａｉｌ」の電子メール選択ボタンが選択された場合だけではなく、同様に、「Ｓｃａｎ  Ｔｏ  Ｎｅｔｗｏｒｋ」、「Ｓｃａｎ  Ｔｏ  ＭａｉｌＢｏｘ」のような電子メール選択ボタンが選択された場合にも応用できる。また、実施例において、それぞれの送信アドレスに応じて、原稿をスキャンするときの、Ｒｅｓｏｌｕｔｉｏｎ、Ｃｏｌｏｒ  Ｍｏｄｅ、Ｆｉｌｅ  Ｆｏｒｍａｔ、Ｓｌｉｄｅなどの設定値を履歴として格納して、それぞれの送信アドレスのｄｅｆａｕｌｔ設定値として使っても良い。
【産業上の利用可能性】
【００９０】
本発明をカメラ付き携帯電話などの情報通信装置にも応用することができる。
【図面の簡単な説明】
【００９１】
【図１】本発明に係る情報通信装置の実施例１における構成を示すブロック図である。
【図２】本発明に係る情報通信装置の実施例１における動作を示すフローチャートである。
【図３】メールアドレス入力画面を示す説明図である。
【図４】宛先データ登録部の構成を示す説明図である。
【図５】帳表示入力画面を示す説明図である。
【図６】キーボード表示入力画面を示す説明図である。
【図７】メールアドレスが入力されている状態のメールアドレス入力画面を示す説明図である。
【図８】追従送信確認画面の構成を示す説明図である。
【図９】本発明に係る情報通信装置の実施例２における構成を示すブロック図である。
【図１０】本発明に係る情報通信装置の実施例２における動作を示すフローチャートである。
【図１１】本発明に係る情報通信装置の実施例３における構成を示すブロック図である。
【図１２】本発明に係る情報通信装置の実施例３における動作を示すフローチャートである。
【符号の説明】
【００９２】
１０、５０、６０  情報通信装置
１１  読取部
１２  表示入力部
１３  送信部
１４、５１  宛先データ登録部
１５  記号記憶部
１６  一時記憶部
１７  削除部
１８、５２、６２  制御部
１９  確認判断制御部
２０  宛先帳制御部
２１  記号制御部
５３、６３  比較判断制御部
６１  監視判定部
【図１】
2008079092.tif 000003
【図２】
2008079092.tif 000004
【図３】
2008079092.tif 000005
【図４】
2008079092.tif 000006
【図５】
2008079092.tif 000007
【図６】
2008079092.tif 000008
【図７】
2008079092.tif 000009
【図８】
2008079092.tif 000010
【図９】
2008079092.tif 000011
【図１０】
2008079092.tif 000012
【図１１】
2008079092.tif 000013
【図１２】
2008079092.tif 000014